(57)【要約】【課題】  光ファイバーコネクタが装着された状態において、ケージから係脱できるプラグ型光送受信モジュール及びこれを用いたプラグ型光送受信モジュールアセンブリを提供する。【解決手段】  プラグ型光送受信モジュールアセンブリ100は、ケージ500のロッキング部材525にロックされるラッチ部428を提供するベイルクリップ400と、外部コネクタを収容する収容部を有するコネクタ部200を備えた光送受信モジュール110とを有し、ベイルクリップ400は、コネクタ部200の第１及び第２端を貫通する本体410と、本体410の第１端部に支持され、第２端に突出ないし陥没されるラッチ部428を有し、ベイルクリップ400に復元力を供給するロックピン420と、本体410の第１端部に一端側が支持されるとともに、コネクタ部200の第１端上に梃子の形態で係止され、他端側に力を加えてラッチ部428を陥没させ、加えた力を除去することで、ロックピン420の復元力によりラッチ部428を突出させるベイル430とを有する。【選択図】  図１２
2006079100.tif 000002
【特許請求の範囲】
【請求項１】
ロッキング部材にロッキングされるラッチ部を提供するベイルクリップと、外部コネクタを収容する収容部を有するコネクタ部を備えた光送受信モジュールとを有し、
前記ベイルクリップは、
前記コネクタ部の第１端及び第２端を貫通するように取付けられた本体と、
前記コネクタ部の第２端に対して突出ないし陥没できるように、前記本体の第２端部に支持されるラッチ部を有し、前記ベイルクリップに復元力を供給するロックピンと、
前記本体の第１端部に一端側が支持されるとともに、前記コネクタ部の第１端上に梃子の形態で係止され、他端側に力を加えることにより前記ラッチ部を陥没させ、当該加えられた力を除去することで、前記ロックピンの復元力により前記ラッチ部を突出させるベイルと、
を有することを特徴とするプラグ型光送受信モジュールアセンブリ。
【請求項２】
前記アセンブリは、ホスト装置の該当ポートに設けられたロッキング部材を有するケージに係合されること
を特徴とする請求項１に記載のプラグ型光送受信モジュールアセンブリ。
【請求項３】
前記ベイルクリップの前記本体は、
前記コネクタ部の第１及び第２端を貫通するロッド状のボディー部と、
前記ボディー部の第２端部から該ボディー部の両側に延設され、前記ロックピンの一端を支持する第１及び第２支持部と、
を有することを特徴とする請求項１に記載のプラグ型光送受信モジュールアセンブリ。
【請求項４】
前記ベイルクリップの前記ベイルは、
リング状を呈し、前記ベイルクリップの本体の第１端部に挿通されるリング部と、
前記リング部の側面から径方向に屈曲して延長され、前記コネクタ部の第１端上の突起に係止される連結部と、
前記連結部の端に連結され、一表面に溝部が形成された押圧部と、
を有することを特徴とする請求項１に記載のプラグ型光送受信モジュールアセンブリ。
【請求項５】
前記ロックピンは、
前記ラッチ部が板状を呈するとともに、
前記ラッチ部の第１端から第２端へ、該ラッチ部の表面から斜めに延長され、第１端部が固定され、前記ベイルクリップに復元力を供給する弾性部と、
前記ラッチ部の第２端から第１端へ、略“Ｃ”字状に形成され互いに離隔するように延長され、前記ベイルクリップの前記本体の第２端部に係合する第１及び第２係合部と、
を有することを特徴とする請求項１に記載のプラグ型光送受信モジュールアセンブリ。
【請求項６】
ロッキング部材を有するホスト装置にプラグ接続されるプラグ型光送受信モジュールアセンブリであって、
前記ロッキング部材にロッキングされるラッチ部を提供するベイルクリップと、
外部コネクタを収容する収容部を有するコネクタ部と、
前記コネクタ部から延長され、前記ホスト装置と前記外部コネクタとの間のインターフェーシングのための回路を収容する基底部とを有し、
前記ベイルクリップは、
前記コネクタ部の第１端及び第２端を貫通するように設けられた本体と、
該本体の第１端部に支持され、前記コネクタ部の第２端に突出ないし陥没される前記ラッチ部を有し、前記ベイルクリップに復元力を供給するロックピンと、
前記本体の第２端部に一端側が支持され、前記コネクタ部の第１端上に梃子の形態で係止され、他端側が押圧されることにより前記ラッチ部を陥没させ、該押圧を解除することで、前記ロックピンの復元力により前記ラッチ部を突出させるベイルと、を有することを特徴とするプラグ型光送受信モジュールアセンブリ。
【請求項７】
前記ベイルクリップの前記本体は、
前記コネクタ部の第１及び第２端を貫通するロッド状のボディー部と、
前記ボディー部の第２端部から該ボディー部の両側に延設され、前記ロックピンの一端を支持する第１及び第２支持部と、
を有することを特徴とする請求項６に記載のプラグ型光送受信モジュールアセンブリ。
【請求項８】
前記ベイルは、
リング状を呈し、前記ベイルクリップの前記本体の第１端部に挿通されるリング部と、
前記リング部の側面から径方向に屈曲して延長され、前記コネクタ部の第１端上の突起に係止される連結部と、
前記連結部の端に連結され、一表面に溝部が形成された押圧部と、
を有することを特徴とする請求項６に記載のプラグ型光送受信モジュールアセンブリ。
【請求項９】
前記ロックピンは、
前記ラッチ部が板状を呈するとともに、
前記ラッチ部の第１端から第２端へ、該ラッチ部の表面から傾斜するように延長され、第１端部が固定され、前記ベイルクリップに復元力を供給する弾性部と、
前記ラッチ部の第２端から第１端へ、略“Ｃ”字状に形成され互いに離隔するように延長され、前記ベイルクリップの前記本体の第２端部に係合する第１及び第２係合部と、
を有することを特徴とする請求項６に記載のプラグ型光送受信モジュールアセンブリ。
【請求項１０】
前記ベイルクリップの前記本体は、前記コネクタ部の第１及び第２端を貫通する略“Ｕ”字状のボディー部を有すること
を特徴とする請求項６に記載のプラグ型光送受信モジュールアセンブリ。
【請求項１１】
前記ベイルは、
各々リング状を有し、前記ベイルクリップの前記本体の第１端部に挿通される第１リング部及び第２リング部と、
前記第１リング部の側面から径方向に曲げられて延長され、前記第１端上の第１突起に係止される第１連結部と、
前記第２リング部の側面から径方向に曲げられて延長され、前記第１端上の第２突起に係止される第２連結部と、
前記第１及び第２連結部を接続し、一表面に溝部が形成された平面略矩形のブロック状の押圧部と、
を有することを特徴とする請求項１０に記載のプラグ型光送受信モジュールアセンブリ。
【請求項１２】
前記コネクタ部は、
該コネクタ部の幅を両分する中央部と、
該中央部の両側に形成され、各々外部コネクタを収容する第１及び第２収容部と、
前記中央部を貫通しており、前記ベイルクリップの本体が挿入されるホールと、
をさらに有することを特徴とする請求項６に記載のプラグ型光送受信モジュールアセンブリ。
【請求項１３】
前記コネクタ部は、
該コネクタ部の底部に位置した下端部と、
該下端部の両端から上向きに延設された第１及び第２側端部と、
前記第１側端部を貫通し、前記ベイルクリップの本体の一部が挿入される第１ホールと、
前記第２側端部を貫通し、前記ベイルクリップの本体の他部が挿入される第２ホールと、をさらに有することを特徴とする請求項６に記載のプラグ型光送受信モジュールアセンブリ。
【請求項１４】
外部コネクタを収容する収容部を有するコネクタ部を備えた光送受信モジュールと、ベイルクリップとを有し、
前記ベイルクリップは、
前記コネクタ部の第１端及び第２端を貫通するように前記コネクタ部内に組み込まれた本体と、
該本体の第２端部に支持され、前記コネクタ部の第２端に突出ないし陥没されるラッチ部を有し、前記ベイルクリップに復元力を供給するロックピンと、
前記本体の第１端部に一端側が支持されるとともに、前記コネクタ部の第１端上に梃子の形態で係止され、他端側に力を加えることにより前記ラッチ部を陥没させ、該加えた力を除去することで、前記ロックピンの復元力により前記ラッチ部を突出させるベイルと、を有することを特徴とするプラグ型光送受信モジュールアセンブリ。
【請求項１５】
前記ベイルクリップの前記本体は、
前記コネクタ部の第１及び第２端を貫通するロッド状のボディー部と、
前記ボディー部の第２端部から該ボディー部の両側に延設され、前記ロックピンの一端を支持する第１及び第２支持部と、
を有することを特徴とする請求項１４に記載のプラグ型光送受信モジュールアセンブリ。
【請求項１６】
前記ベイルは、
リング状を呈し、前記ベイルクリップの前記本体の第１端部に挿通されるリング部と、
前記リング部の側面から径方向に屈曲して延長され、前記コネクタ部の第１端上の突起に係止される連結部と、
前記連結部の端に連結され、一表面に溝部が形成された押圧部と、
を有することを特徴とする請求項１４に記載のプラグ型光送受信モジュールアセンブリ。
【請求項１７】
前記ロックピンは、
前記ラッチ部が板状を呈するとともに、
前記ラッチ部の第１端から第２端へ、該ラッチ部の表面から傾斜するように延長され、第１端部が固定され、前記ベイルクリップに復元力を供給する弾性部と、
前記ラッチ部の第２端から第１端へ、“略“Ｃ”字状に形成され互いに離隔するように延長され、前記ベイルクリップの前記本体の第１端部に係合する第１及び第２係合部と、
を有することを特徴とする請求項１４に記載のプラグ型光送受信モジュールアセンブリ。
【発明の詳細な説明】
【技術分野】
【０００１】
本発明は、プラグ型光送受信モジュールアセンブリ(ｐｌｕｇｇａｂｌｅ ｏｐｔｉｃａｌ ｔｒａｎｓｃｅｉｖｅｒ ｍｏｄｕｌｅ ａｓｓｅｍｂｌｙ)に関し、特に、光送受信モジュールアセンブリをケージ(ｃａｇｅ)に係合及び係脱（unplug）するラッチ機構(ｌａｔｃｈｉｎｇ ｍｅｃｈａｎｉｓｍ)に関する。
【背景技術】
【０００２】
近年の情報通信の発展に伴って、各種通信網において、限定された回線でより多くの情報を伝達するために、少ない回線で多量の情報を高速転送できる光通信システム(ｏｐｔｉｃａｌ  ｃｏｍｍｕｎｉｃａｔｉｏｎ  ｓｙｓｔｅｍ)が開発されつつある。光通信システムでは、電光変換や光電変換のための光送受信機モジュールを含んでおり、この光送受信機モジュールは、光源や光検出素子などを含む。プラグ接続型の光送受信機モジュールのうち、良く知られているものとしてＳＦＰ(ｓｍａｌｌ  ｆｏｒｍ-ｆａｃｔｏｒ  ｐｌｕｇｇａｂｌｅ)光送受信機モジュールが挙げられる。このＳＦＰ光送受信機モジュールは、ホスト装置(ｈｏｓｔ  ｄｅｖｉｃｅ)と光ファイバーケーブル(ｏｐｔｉｃａｌ  ｆｉｂｅｒ  ｃａｂｌｅ)をインターフェーシング(ｉｎｔｅｒｆａｃｉｎｇ)する機能を担う。
【０００３】
クリス トガミ(Ｃｈｒｉｓ  Ｔｏｇａｍｉ)により提案され特許登録された下記特許文献１{ＥＬＥＣＴＲＯＮＩＣ  ＭＯＤＵＬＥ  ＨＡＶＩＮＧ  ＡＮ  ＩＮＴＥＧＲＡＴＥＤ  ＬＡＴＣＨＩＮＧ  ＭＥＣＨＡＮＩＳＭ}では、ホスト装置のポート(ｐｏｒｔ)に係合されるケージ（ｃａｇｅ）またはハウジング(ｈｏｕｓｉｎｇ)に、ＳＦＰ光送受信機モジュールを係合及び係脱するためのラッチ機構に関して開示している。この技術では、光送受信機モジュールをケージから係脱するには、まず、光ファイバーケーブルが設けられた光ファイバーコネクタ(ｏｐｔｉｃａｌ  ｆｉｂｅｒ  ｃｏｎｎｅｃｔｏｒ)を光送受信機モジュールから係脱した後、ラッチ機構のベイル(ｂａｉｌ)を持ち上げた状態において光送受信機モジュールを引っ張る。すなわち、ベイルが光ファイバーコネクタを囲んでいるため、ベイルを持ち上げるには光ファイバーコネクタを先に係脱することが必要となる。
【０００４】
前述したように、従来のラッチ機構は、光ファイバーコネクタが光送受信機モジュールに装着された状態であるため、光送受信機モジュールをケージから係脱（unplug）できない構造を有している。
【０００５】
しかしながら、テスト或いは保守点検のため等により、光送受信機モジュールをケージから係脱しなければならない場合がしばしば発生するが、このような環境では、従来のラッチ機構はユーザーにとって非常に不都合である、という問題があった。
【特許文献１】米国特許第６,４３９,９１８号明細書
【発明の開示】
【発明が解決しようとする課題】
【０００６】
本発明は前記問題点を解決するために案出されたものであり、その目的は、光ファイバーコネクタが装着された状態において、ケージから係脱できるプラグ型光送受信モジュール及びこれを用いたプラグ型光送受信モジュールアセンブリを提供することにある。
【課題を解決するための手段】
【０００７】
上述の問題点を解決するために、本発明の一側面は、ホスト装置の該当ポートに設けられ、ロッキング部材を有するケージに設けられるプラグ型光送受信モジュールアセンブリであって、ロッキング部材にロッキングされるラッチ部を提供するベイルクリップと、外部コネクタを収容する収容部を有するコネクタ部を備えた光送受信モジュールとを有し、ベイルクリップは、コネクタ部の第１端及び第２端を貫通するように取付けられた本体と、コネクタ部の第２端に対して突出ないし陥没できるように、本体の第２端部に支持されるラッチ部を有し、ベイルクリップに復元力を供給するロックピンと、本体の第１端部に一端側が支持されるとともに、コネクタ部の第１端上に梃子の形態で係止され、他端側に力を加えることによりラッチ部を陥没させ、当該加えられた力を除去することで、ロックピンの復元力によりラッチ部を突出させるベイルと、を有する。
【０００８】
本発明の他の側面は、ロッキング部材を有するホスト装置にプラグ接続されるプラグ型光送受信モジュールアセンブリであって、ロッキング部材にロッキングされるラッチ部を提供するベイルクリップと、外部コネクタを収容する収容部を有するコネクタ部と、コネクタ部から延長され、ホスト装置と外部コネクタとの間のインターフェーシングのための回路を収容する基底部とを有し、ベイルクリップは、コネクタ部の第１端及び第２端を貫通するように設けられた本体と、該本体の第１端部に支持され、コネクタ部の第２端に突出ないし陥没されるラッチ部を有し、ベイルクリップに復元力を供給するロックピンと、本体の第２端部に一端側が支持され、コネクタ部の第１端上に梃子の形態で係止され、他端側が押圧されることによりラッチ部を陥没させ、該押圧を解除することで、ロックピンの復元力によりラッチ部を突出させるベイルと、を有する。
【０００９】
さらに、本発明のプラグ型光送受信モジュールアセンブリの他の側面は、外部コネクタを収容する収容部を有するコネクタ部を備えた光送受信モジュールと、ベイルクリップとを有し、ベイルクリップは、コネクタ部の第１端及び第２端を貫通するように前記コネクタ部内に組み込まれた本体と、該本体の第２端部に支持され、前記コネクタ部の第２端に突出ないし陥没されるラッチ部を有し、ベイルクリップに復元力を供給するロックピンと、本体の第１端部に一端側が支持されるとともに、コネクタ部の第１端上に梃子の形態で係止され、他端側に力を加えることによりラッチ部を陥没させ、該加えた力を除去することで、ロックピンの復元力により前記ラッチ部を突出させるベイルと、を有する。
【発明の効果】
【００１０】
本発明に係るプラグ型光送受信モジュール及びこれを用いたプラグ型光送受信モジュールアセンブリによれば、梃子の原理を用いたラッチ機構を備えることで、光ファイバーコネクタが装着された状態において、ケージからプラグ型光送受信モジュールを係脱できる。
【発明を実施するための最良の形態】
【００１１】
以下、添付図面を参照して、本発明の好適な実施の形態を詳細に説明する。なお、下記説明において、関連する公知の機能や構成についての具体的な説明が、本発明の要旨を不明にする虞があると判断される場合には、その詳細な説明を適宜省略する。
【００１２】
図１は本発明の好適な第１の実施の形態によるプラグ型光送受信モジュールアセンブリ(ｐｌｕｇｇａｂｌｅ  ｏｐｔｉｃａｌ  ｔｒａｎｓｃｅｉｖｅｒ  ｍｏｄｕｌｅ  ａｓｓｅｍｂｌｙ)を示す図である。プラグ型光送受信モジュールアセンブリ１００は、プラグ型の光送受信モジュール１１０と、金属材質のケース(ｍｅｔａｌ  ｃａｓｅ)１５０と、を含む。以下、ｘ軸方向はプラグ型光送受信モジュール１１０の厚さ方向を、ｙ軸方向はその幅方向を、ｚ軸方向はその長さ方向を示す。
【００１３】
プラグ型光送受信モジュール１１０は、光ファイバーコネクタを収容するコネクタ部(ｃｏｎｎｅｃｔｏｒ  ｐｏｒｔｉｏｎ)２００と、コネクタ部２００の後部からｚ軸方向に延長された基底部(ｂａｓｅ  ｐｏｒｔｉｏｎ)１２０と、コネクタ部２００に設けられ、ラッチ機構であるベイルクリップ(ｂａｉｌ  ｃｌｉｐ)４００とを有する。基底部１２０にはエッジコネクタ(ｅｄｇｅ  ｃｏｎｎｅｃｔｏｒ)１３５を有する印刷回路基板(ｐｒｉｎｔｅｄ  ｃｉｒｃｕｉｔ  ｂｏａｒｄ：ＰＣＢ)１３０が設けられる。ここで、エッジコネクタ１３５は、図示しないホスト装置の該当ポート内に位置する電気的なコネクタ(ｅｌｅｃｔｒｉｃａｌ  ｃｏｎｎｅｃｔｏｒ)に接続される。また、基底部１２０には両方向光サブアセンブリ(ｂｉ-ｄｉｒｅｃｔｉｏｎａｌ  ｏｐｔｉｃａｌ  ｓｕｂ  ａｓｓｅｍｂｌｙ：ＢｉＤｉ ＯＳＡ)１４０が設けられる。この両方向光サブアセンブリ１４０は、電光変換のための送信端光アセンブリ１４２と、光電変換のための受信端光アセンブリ１４４とを有する。
【００１４】
図１に示すように、ケース１５０は、その前端、後端及び下端が開放された平面略矩形の枠状を呈し、その上面及び側面に複数の固定部材(ｆｉｘｉｎｇ  ｍｅｍｂｅｒ)１５２，１５４，１５６を備えている。このケース１５０は、プラグ型光送受信モジュール１１０の基底部１２０を覆う。
【００１５】
図２は図１に示す光送受信モジュールアセンブリ及びケージを示す斜視図である。
【００１６】
ケージ５００は、ホスト装置の該当のポートに係合され、その前端乃至後端が開放された筒状を呈し、平面、側面及び断面（すなわち枠形状）が略矩形の枠状となっており、ケージ５００の下端部の後端側には開放部が提供される。ケージ５００は、その上端部に複数の固定部材５１２，５１４，５１６を有している。一方、ケージ５００の下端部には、ベイルクリップ４００の後述するロックピン(ｌｏｃｋ  ｐｉｎ)４２０をロックするためのロッキングホール(ｌｏｃｋｉｎｇ  ｈｏｌｅ)５２５を有するリーフスプリング(ｌｅａｆ  ｓｐｒｉｎｇ)５２０と、リーフスプリング５２０をケージ５００の下端部に提供（形成）するための第１及び第２溝５３０，５３５と、を有する。
【００１７】
リーフスプリング５２０は、ケージ５００の下端部に並設されている第１及び第２溝５３０，５３５により形成され、各溝はケージ５００の前端から後端側に所定の長さ及び幅だけ延びている。また、各溝は、その上端、下端及び前端が開放（肉抜き）された形状となっている。リーフスプリング５２０には三角形のロッキングホール５２５が形成される。
【００１８】
光送受信モジュールアセンブリ１００は、その後端からケージ５００の前端へ挿入され、ベイルクリップ４００の後述するロックピン４２０が前記ロッキングホール５２５にロッキングされることで、ケージ５００に係合される。そして、光送受信モジュールアセンブリ１００は、ベイルクリップ４００のロックピン４２０をロッキングホール５２５から分離した状態において、光送受信モジュールアセンブリ１００をx軸方向に引っ張ることで離脱される。この光送受信モジュールアセンブリ１００の離脱時に、第１及び第２収容部２４０，２４５に挿入された光ファイバーコネクタを外す必要が無い構成となっており、その詳細については後述する。
【００１９】
図３は光送受信モジュール１１０のコネクタ部２００をその上端部２５０を上側にして示す斜視図、図４は光送受信モジュール１１０のコネクタ部２００をその下端部２１０を上側にして示す斜視図、図５は図３に示す光送受信モジュール１１０のコネクタ部２００をその幅を両分する位置であるＡ-Ａ’線に沿って切断した断面図である。コネクタ部２００は、図中のｘ軸及びｚ軸によるｘ−ｚ平面を基準とした左右対称構造を有し、全体的に前端側が開放された平面略矩形のボックス状の形状を呈している。コネクタ部２００は、下端部２１０と、下端部２１０の両端から上向きに延設された第１及び第２側端部２２０，２２５と、該コネクタ部２００の後端を閉鎖する後端部２９０と、コネクタ部２００の後端から延設され、コネクタ部２００の上端の一部を閉鎖する平面略“コ”字状の上端部２５０と、コネクタ部２００の幅を両分する位置において、下端部２１０から上向きに延設された中央部２３０と、を有する。そして、中央部２３０により、中央部２３０と第１側端部２２０との間に第１収容部２４０が提供（形成）され、中央部２３０と第２側端部２２５との間に第２収容部２４５が提供（形成）される。また、コネクタ部２００は、第１側端部２２０から中央部２３０まで延長され、上端部２５０の前端位置で段差を有するように、上向きに突出された第２係止突起２６０と、第２側端部２２５から中央部２３０まで延長され、上端部２５０の前端位置で段差を有するように、上向きに突出された第３係止突起２６５と、中央部２３０の上面から上向きに突出され、中央部２３０の前端位置からｚ軸方向に延長された第１係止突起２８０と、中央部２３０の上面から上向きに突出され、第２及び第３係止突起２６０，２６５の対向断面間の第２収容空間２６７に介在した突起２７０と、をさらに有する。
【００２０】
上端部２５０の平面形状が略“コ”字状を有することで、ベイルクリップ４００を収容する第１収容空間２５５が提供（形成）され、第１収容空間２５５の一側端は、第２及び第３係止突起２６０，２６５と突起２７０とにより閉鎖される。突起２７０と第１係止突起２８０との間には第３収容空間が提供（形成）される。
【００２１】
中央部２３０は、上端から下端まで貫通された円形の第１ホール２３５を備えており、この第１ホール２３５は第１収容空間２５５と連通する（図４，図５参照）。
【００２２】
一方、下端部２１０は、平面略四角形の第２ホール２１５を備えており、この第２ホール２１５は上記第１ホール２３５と連通する。
【００２３】
また、後端部２９０の下側には、断面略四角形の第３ホール２９２が形成されており、この第３ホール２９２は、上記第２ホール２１５と連通する。さらに、後端部２９０は、相互に離隔している円形の第４及び第５ホール２９４，２９６を備え、第４ホール２９４は第１収容部２４０と連通し、第５ホール２９６は第２収容部２４５と連通する。
【００２４】
コネクタ部２００は、後端部２９０の後端からｚ軸方向に延設され、第４及び第５ホール２９４，２９６と離隔している位置において、略“Ｗ”字状に形成された第１及び第２ガイド３１０，３１５をさらに含む。第１及び第２ガイド３１０，３１５は、各々半円形の表面を有している。
【００２５】
コネクタ部２００は、さらに、第１及び第２ガイド３１０，３１５の後端からｚ軸方向に延設され、第１及び第２ガイド３１０，３１５から段差を有するように、略“Ｗ”字状に形成された第３及び第４ガイド３２０，３２５を含む。第３及び第４ガイド３２０，３２５は、各々半円形の表面を有している。
【００２６】
図６はベイルクリップ４００を示す斜視図である。ベイルクリップ４００は、略“Ｔ”字形の本体４１０と、本体４１０の第１端部に挿通して取付けられるベイル４３０と、本体４１０の第２端部に取付けられるロックピン４２０と、固定部材４４０とを有する。
【００２７】
本実施形態では、本体４１０は、全体略“Ｔ”字状の外形を呈し、断面円形のロッド（棒）状のボディー部４１２と、ボディー部４１２の第１端部に形成され、その表面にネジ溝が形成された固定部４１８と、ボディー部４１２の第２端部に形成され、ボディー部４１２と直交する方向に互いに一直線状に延設された第１及び第２支持部４１４，４１６と、を有する。第１及び第２支持部４１４，４１６は、各々円形のロッド状に形成されている。
【００２８】
ベイル４３０は、円形のリング状のリング部４３２と、リング部４３２の側面から径方向に屈曲して延長された連結部(ｃｏｎｎｅｃｔｉｎｇ ｐｏｒｔｉｏｎ)４３４と、連結部４３４の端部と連結しており、一表面（すなわち被押圧面）の長手方向に沿って複数の凹凸形状からなる溝部が形成された四角のブロック状の押圧部４３６とを有する。図６に示すように、押圧部４３６は、溝部が上側に位置するように、連結部４３４と連結される。また、押圧部４３６は、これら複数の溝（凹凸部）の内、最も高く突起する凸部（すなわち被押圧部）がボディー部４１２から離れた位置に来るように形成されることにより、押圧時に要する力が可及的に少なくて済むようになっている。また、本実施形態では、押圧部４３６が指で押圧される際に、複数の凹凸からなる溝部により、その指の滑りを防止することも可能となる。なお、押圧部４３６の上記溝部につき、その凹凸の数や指で押圧（加圧）される部分（被押圧部）の面積については特に限定されるものではなく、また、必要に応じて上記溝部を他の形状としてもよい。
【００２９】
固定部材４４０は、本体４１０の固定部４１８に螺設されることで、ベイル４３０の移動を制限する。すなわち、ベイル４３０のリング部４３２が本体４１０のボディー部４１２に挿通された状態では、ベイル４３０は、第１及び第２支持部４１４，４１６により一方側への移動が制限され、固定部材４４０により他方側への移動が制限される。
【００３０】
ロックピン４２０は、板状のラッチ部４２８と、ラッチ部４２８の第１端から第２端へ、ラッチ部４２８の表面から斜めに（すなわち傾斜するように）延長され、且つ、その端部が曲げられた弾性部(ｅｌａｓｔｉｃ  ｐｏｒｔｉｏｎ)４２２と、ラッチ部４２８の第２端から第１端へ、略“Ｃ”字状を呈し互いに離隔するように形成された第１及び第２係合部(ｈｏｏｋｉｎｇ  ｐｏｒｔｉｏｎ)４２４，４２６と、を有する。弾性部４２２は、弾性を有し、ラッチ部４２８の第１端の方向に曲げることができる。
【００３１】
図７はベイルクリップ４００が設けられた光送受信モジュール１１０のコネクタ部２００を、その上端部側から表した斜視図、図８はベイルクリップ４００が設けられた光送受信モジュール１１０のコネクタ部２００を、その下端部側を上にして表した斜視図、図９は図７に示す光送受信モジュール１１０をその幅を両分する位置であるＢ-Ｂ’線に沿って切断した断面図である。以下、ベイルクリップ４００の組み込み方法について、順を追って説明する。
【００３２】
第一に、ロックピン４２０の弾性部４２２の曲げられた端部を、コネクタ部２００の第３ホール２９２に挿入して嵌め込む。
【００３３】
第二に、本体４１０をコネクタ部２００の第１ホール２３５内に挿入して組み込む。このとき、本体４１０の固定部４１８が、ロックピン４２０の第１及び第２係合部４２４，４２６の間、及びコネクタ部２００の第１ホール２３５を経て、中央部２３０の上面に突出するように、本体４１０を挿入して取付ける。
【００３４】
第三に、ベイル４３０のリング部４３２が本体４１０に貫通するように、本体４１０にベイル４３０を組み付ける。
【００３５】
第四に、固定部材４４０を本体４１０の固定部４１８に固定する。
【００３６】
これにより、図９に示すように、本体４１０は第１ホール２３５を貫通し、ベイル４３０のリング部４３２と固定部材４４０が中央部２３０の上面に順に積層される。このとき、ベイル４３０は、第１収容空間２５５から第２収容空間２６７を経るように設置され、また、突起２７０と第１係止突起２８０との間の第３収容空間にはベイル４３０の押圧部４３６が位置する。そして、ベイル４３０の連結部４３４は突起２７０に係止され、押圧部４３６は第１係止突起２８０の上面から突出するように露呈される。また、第１収容空間２５５に位置したベイルクリップ４００の一部は、第１収容空間２５５の外に突出するように露呈される。
【００３７】
さらに、このとき、ロックピン４２０の第１及び第２係合部４２４，４２６は、それぞれ本体４１０の第１及び第２支持部４１４，４１６に係合され（図６参照）、ロックピン４２０のラッチ部４２８は、コネクタ部２００の第２ホール２１５の外に突出するように露呈される。
【００３８】
図１０は図９に示すベイルクリップ４００の動作方法を説明するための断面図である。同図に示すように、ユーザーが自身の指でベイル４３０の押圧部４３６を下側に押圧すると、梃子の原理によって、ベイル４３０のリング部４３２が、中央部２３０から上側に傾斜して持ち上げられる。これにより、リング部４３２が固定部材４４０を上側に押上げるので、固定部材４４０に固定された本体４１０が上側に移動する。本体４１０が上側に移動するにつれて、本体４１０の第１及び第２支持部４１４，４１６に係合された第１及び第２係合部４２４，４２６の位置が移動し、これにより、ロックピン４２０のラッチ部４２８は、上方に移動して、コネクタ部２００の第２ホール２１５内に位置することになる。すなわち、ラッチ部４２８は、移動前（図９参照）はコネクタ部２００の第２ホール２１５の外に突出されるが、上記の移動後は第２ホール２１５内に陥没される（図１０参照）。そして、ラッチ部４２８と第１及び第２係合部４２４，４２６とが上方に移動して弾性部４２２が曲げられることによって、復元力が生成される。以後、ユーザーが指を押圧部４３６から外す（すなわち押圧部４３６への押圧を止める）と、弾性部４２２の復元力によって、ベイルクリップ４００は、図９に示すように元の位置に復帰される。
【００３９】
図１１及び図１２は、光送受信モジュールアセンブリ１００をケージ５００に係合及び係脱する方法を説明するための図であって、図１１は光送受信モジュールアセンブリ１００がケージ５００に係合した状態を、図１２は光送受信モジュールアセンブリ１００がケージ５００から係脱する過程を示す。
【００４０】
図１１を参照すると、光送受信モジュールアセンブリ１００は、その後端からケージ５００の前端へ挿入され、ベイルクリップ４００のロックピン４２０がロッキングホール５２５にロッキングされることで、ケージ５００に係合される。同図に示すように、ケージ５００の上端部は、光送受信モジュールアセンブリ１００の係合過程において、第１収容空間２５５の外に突出されたベイルクリップ４００のための空間を提供するために、コネクタ部２００の上端から離隔している。光送受信モジュールアセンブリ１００の係合過程において、ケージ５００の前端がベイルクリップ４００の弾性部４２２にぶつかるが、弾性部４２２がケージ５００の表面に対して斜めに傾斜しているため、光送受信モジュールアセンブリ１００をｚ軸方向に押し続ければ、弾性部４２２が曲がりながら、ラッチ部４２８が第２ホール２１５内に徐々に埋没される。続いて、ケージ５００をｚ軸方向に押し続けることにより、ラッチ部４２８が第２ホール２１５内に完全に沈み入れられ、ケージ５００が第２及び第３係止突起２６０，２６５に係止されて進行が止められる際に、ラッチ部４２８が第２ホール２１５の外に突出され、ロッキングホール５２５にロックされる。
【００４１】
図１２を参照すると、ユーザーが指でベイル４３０の押圧部４３６を下側に押圧することで、前述したように、ラッチ部４２８が第２ホール２１５内に完全に陥没される。ユーザーは、ラッチ部４２８が完全に陥没された状態において、光送受信モジュールアセンブリ１００を図１２の矢印ｚ方向に引き抜くことで、光送受信モジュールアセンブリ１００がケージ５００から係脱される。
【００４２】
図１３乃至図２０は、本発明の好適な第２の実施の形態によるプラグ型光送受信モジュールアセンブリを説明するための図である。第２の実施形態のプラグ型光送受信モジュールアセンブリ（１００’）は、コネクタ部６００を除いては図１で説明したものと同様なので、重複する図示及び説明は適宜省略する。
【００４３】
本実施形態のプラグ型光送受信モジュール（１１０’）は、光ファイバーコネクタを収容するコネクタ部６００と、コネクタ部６００の後部からｚ軸方向に延長された基底部（１２０；図１参照）と、コネクタ部６００に設けられるベイルクリップ８００と、を有する。基底部にはエッジコネクタを有する印刷回路基板が設けられ、エッジコネクタは、図示しないホスト装置の該当ポート内に位置する電気的なコネクタに接続される。また、基底部には両方向光サブアセンブリ（１４０）が設けられ、この両方向光サブアセンブリ（１４０）は、電光変換のための送信端光アセンブリ（１４２）と、光電変換のための受信端光アセンブリ（１４４）と、を有する（図１参照）。
【００４４】
図１３は光送受信モジュールのコネクタ部６００をその上端部を上側にして示す斜視図、図１４は光送受信モジュールのコネクタ部６００をその下端部を上側にして示す斜視図、図１５は図１３に示す光送受信モジュールのコネクタ部６００をその幅を両分する位置であるＣ-Ｃ’線に沿って切断した断面図である。コネクタ部６００は、図中のｘ軸及びｚ軸によるｘ−ｚ平面を基準とした左右対称構造を有し、全体的に前端側が開放された平面略矩形のボックス状の形状を呈している。コネクタ部６００は、下端部６１０と、下端部６１０の両端から上向きに延設された第１及び第２側端部６２０，６２５と、該コネクタ部６００の後端を閉鎖する後端部６８０と、コネクタ部６００の後端から延設され、コネクタ部６００の上端の一部を閉鎖する平面略“Ｅ”字状の上端部６４０と、を有し、また、第１側端部６２０と第２側端部６２５との間には収容部６３０が提供（形成）される。さらに、コネクタ部６００は、上端部６４０の前端位置で段差を生じさせるように、第１側端部６２０から上向きに突出された第２係止突起６５０と、上端部６４０の前端位置で段差を生じさせるように、第２側端部６２５から上向きに突出された第３係止突起６５５と、上端部６４０の前端位置において、第１側端部６２０の上面から第２側端部６２５の上面まで延設された第１係止突起６６０と、第１側端部６２０の上面から上向きに突出され、第１及び第２係止突起６６０，６５０の対向断面間の第１収容空間６５２内に形成された第１突起６７０と、第２側端部６２５の上面から上向きに突出され、第１及び第３係止突起６６０，６５５の対向断面間の第２収容空間内６５７に形成された第２突起６７５と、を有する。
【００４５】
本実施形態では、上端部６４０の平面形状が略“Ｅ”字状を呈することで、ベイルクリップ８００を収容するための平面略四角形の第１及び第２収容溝６４２，６４４が提供（形成）される。ここでは、第１収容溝６４２は上端部６４０の上端から第１側端部６２０の上面まで延設され、第２収容溝６４４は、上端部６４０の上端から第２側端部６２５の上面まで延設される。そして、第１収容溝６４２の一端は第１及び第２係止突起６６０，６５０と第１突起６７０により閉鎖され、第２収容溝６４４の一端は、第１及び第３係止突起６６０，６５５と第２突起６７５により閉鎖される。本実施形態では、第２係止突起６５０が平面略“Ｌ”字状に曲がっているため、第１突起６７０と第２係止突起６５０との間に第３収容空間が提供され、また、第３係止突起６５５の平面形状が略逆“Ｌ”字状に曲がっているため、第２突起６７５と第３係止突起６５５との間に第４収容空間が提供（形成）される。
【００４６】
第１側端部６２０は、その上端から下端まで貫通された円形の第１ホール６２２を備えており、この第１ホール６２２は第１収容溝６４２と連通する。同様に、第２側端部６２５は、その上端から下端まで貫通された円形の第２ホール６２７を備えており、この第２ホール６２７は第２収容溝６４４と連通する。
【００４７】
一方、下端部６１０は、図１４に示すように、平面略四角形の第３ホール６１２を備えており、この第３ホール６１２は収容部６３０と連通する。さらに、下端部６１０は、互いに離隔している第１ホール６２２及び第３ホール６１２を連通させるために、下端部６１０の下端から所定深さで形成された第３収容溝６１４と、互いに離隔している第２ホール６２７及び第３ホール６１２を連通させるために、下端部６１０の下端から所定深さで形成された第４収容溝６１６と、を備える。
【００４８】
後端部６８０は、その下側に略四角形の第４ホール６８２を備えており、この第４ホール６８２は第３ホール６１２と連通する。さらに、後端部６８０は、略円形の第５ホール６８４を備えており、この第５ホール６８４は収容部６３０と連通する。
【００４９】
コネクタ部６００は、後端部６８０からｚ軸方向に延設され、第５ホール６８４と離隔している位置において、略半円形状に形成された第１ガイド７００をさらに有する。
【００５０】
また、コネクタ部６００は、第１ガイド７００の後端からｚ軸方向に延設され、第１ガイド７００から段差を有するように、略半円形状に形成された第２ガイド７１０をさらに有する。
【００５１】
図１６はベイルクリップ８００を示す斜視図である。ベイルクリップ８００は、略“Ｕ”字状の本体８１０と、本体８１０の両端部に挿通して取付けられるベイル８３０と、本体８１０の中央部に係合するロックピン８２０と、第１及び第２固定部材８５０，８５５と、を有する。
【００５２】
本実施形態では、本体８１０は、全体略“Ｕ”字状の外形を呈し、断面円形のロッド状のボディー部８１２と、ボディー部８１２の第１端部に形成され、その表面にネジ溝が形成された第１固定部８１４と、ボディー部８１２の第２端部に形成され、その表面にネジ溝が形成された第２固定部８１６と、を有する。
【００５３】
ベイル８３０は、円形のリング状の第１及び第２リング部８３２，８３４と、第１リング部８３２の側面から径方向に屈曲して延長された第１連結部８３６と、第２リング部８３４の側面から径方向に屈曲して延長された第２連結部８３８と、第１及び第２連結部８３６，８３８を連結し、一表面（すなわち被押圧面）の長手方向に沿って複数の凹凸形状からなる溝部が形成された四角のブロック状の押圧部８４０と、を有する。押圧部８４０は、その溝部が上側に位置するように、第１及び第２連結部８３６，８３８と連結される。また、押圧部８４０は、これら複数の溝（凹凸部）の内、最も高く突起する凸部（すなわち被押圧部）がボディー部８１２から離れた位置に来るように形成されることで、押圧時に要する力が可及的に少なくて済むようになっている。本実施形態でも、押圧部８４０が指で押圧される際に、溝部の凹凸により、その指の滑りを防止することが可能となる。なお、押圧部８４０の溝部につき、その凹凸の数や指で押圧（加圧）される部分（被押圧部）の面積については特に限定されるものではなく、また、必要に応じて他の形状としてもよいことは、第１の実施形態と同様である。
【００５４】
本実施形態では、第１固定部材８５０が本体８１０の第１固定部８１４に螺設され、第２固定部材８５５が本体８１０の第２固定部８１６に螺設されることで、ベイル８３０の移動を制限する。すなわち、ベイル８３０の第１及び第２リング部８３２，８３４が本体８１０のボディー部８１２に挿通された状態では、ベイル８３０は、ボディー部８１２の両曲げ部により一方側への移動が制限され、第１及び第２固定部材８５０，８５５により他方側への移動が制限される。
【００５５】
ロックピン８２０は、板状を呈するラッチ部８２８と、ラッチ部８２８の第１端から第２端へ、ラッチ部８２８の表面から斜めに（すなわち傾斜するように）延長され、且つ、その端部が曲げられた弾性部８２２と、ラッチ部８２８の第２端から第１端へ、略“Ｃ”字状を呈するように曲げられ、互いに離隔するように延設された第１及び第２係合部８２４，８２６と、を有する。第１及び第２係合部８２４，８２６は、ボディー部８１２の中央部に係合される。弾性部８２２は、弾性を有し、ラッチ部８２８の第１端の方向に曲げることが可能となっている。
【００５６】
図１７はベイルクリップ８００が設けられた光送受信モジュールのコネクタ部６００を、その上端部６４０側から表した斜視図、図１８はベイルクリップ８００が設けられた光送受信モジュールのコネクタ部６００を、その下端部６１０側を上として表した斜視図、図１９は図１７に示す光送受信モジュールをその幅を両分する位置であるＤ-Ｄ’線に沿って切断した断面図である。
【００５７】
以下、ベイルクリップ８００の組み込み方法について、順を追って説明する。
【００５８】
第一に、ロックピン８２０の弾性部８２２の曲げられた先端部を、コネクタ部６００の第４ホール６８２に挿入して嵌め込む。
【００５９】
第二に、本体８１０をコネクタ部６００の第１及び第２ホール６２２，６２７内に挿入して組み込む。このとき、本体８１０の第１及び第２固定部８１４，８１６が、コネクタ部６００の第１及び第２ホール６２２，６２７を経て、第１及び第２側端部６２０，６２５の上面に突出するように、本体８１０をコネクタ部６００に挿入して取付ける。
【００６０】
第三に、ベイル８３０の第１及び第２リング部８３２，８３４が本体８１０により貫通するように、本体８１０にベイル８３０を組み付ける。
【００６１】
第四に、第１固定部材８５０を本体８１０の第１固定部８１４に固定し、第２固定部材８５５を本体８１０の第２固定部８１６に固定する。
【００６２】
これにより、図１９に示すように、本体８１０は第２ホール６２７を貫通し、ベイル８３０の第２リング部８３４と第２固定部材８５５が第２側端部６２５の上面に順に積層される。このとき、ベイル８３０は、第２収容溝６４４から第２収容空間６５７を経て、押圧部８４０が第２突起６７５と第３係止突起６５５との間の第３収容空間に位置する。そして、ベイル８３０の第２連結部８３８は第２突起６７５に係止され、押圧部８４０は第３係止突起６５５の上面に突出される。また、第２収容溝６４４に位置したベイルクリップ８００の一部は、第２収容溝６４４の外に突出するように露呈される。
【００６３】
さらに、ロックピン８２０の第１及び第２係合部８２４，８２６は、本体８１０の中央部に係合され、ロックピン８２０のラッチ部８２８は、コネクタ部６００の第３ホール６１２の外に突出するように露呈される。
【００６４】
図２０は図１９に示すベイルクリップ８００の動作方法を説明するための断面図である。なお、図１９は、一方向から見た断面図なので、以下の説明では図示部分のみを説明しているが、その逆方向でも下記の説明と同様な動作が可能であることを理解すべきである。同図に示すように、ユーザーが自らの指でベイル８３０の押圧部８４０を下側に押圧すると、梃子の原理によって、ベイル８３０の第２リング部８３４が、第２側端部６２５から上側に傾斜するように持ち上げられる。これにより、第２リング部８３４が第２固定部材８５５を上側に押上げることで、第２固定部材８５５に固定された本体８１０が上側に移動する。本体８１０が上側に移動するにつれて、本体８１０に係合された第１及び第２係合部８２４，８２６により、ロックピン８２０のラッチ部８２８が上側に移動してコネクタ部６００の第３ホール６１２内に位置することになる。すなわち、移動前（図１９参照）はラッチ部８２８がコネクタ部６００の第３ホール６１２の外に突出されるが、移動後はラッチ部８２８が第３ホール６１２内に陥没される（図２０参照）。そして、ラッチ部８２８と第１及び第２係合部８２４，８２６とが上方に移動して弾性部８２２が曲げられることによって、復元力が生成される。以後、ユーザーが指を押圧部８４０から外す（すなわち押圧部８４０への押圧を解除する）と、弾性部８２２の復元力によって、ベイルクリップ８００は、図１９に示すように、再び元の位置に戻る。
【００６５】
図２１及び図２２は、本実施形態による光送受信モジュールアセンブリ（１００’）をケージに係合及び係脱する方法を説明するための図であって、図２１は光送受信モジュールアセンブリ１００’がケージに係合した状態を、図２２は光送受信モジュールアセンブリ１００’がケージから係脱する過程を示す。ケージ５００は図１に示すケージと同様なので、同一の参照番号を使用する。また、図２１及び図２２は、一方向から見た断面図なので、以下の説明では図示部分のみを説明しているが、その逆方向でも下記の説明と同様な動作が可能であることを理解すべきである。
【００６６】
図２１を参照すると、光送受信モジュールアセンブリ１００’は、その後端からケージ５００の前端へ挿入され、ベイルクリップ８００のロックピン８２０がロッキングホール５２５にロックされることで、ケージ５００に係合される。同図に示すように、ケージ５００の上端部は、光送受信モジュールアセンブリ１００’の係合過程において、第２収容空間６５７の外に突出されたベイルクリップ８００のための空間を提供するために、コネクタ部６００の上端から離隔している。光送受信モジュールアセンブリの係合過程において、ケージ５００の前端がベイルクリップ８００の弾性部８２２にぶつかるが、弾性部８２２がケージ５００の表面に対して斜めに傾斜しているため、光送受信モジュールアセンブリ１００’をｚ軸方向に押し続ければ、弾性部８２２が曲がりながら、ラッチ部８２８が第３ホール６１２内に徐々に埋没される。続いて、ケージ５００をｚ軸方向に押し続けることにより、ラッチ部８２８が第３ホール６１２内に完全に押し込まれ、ケージ５００が第１乃至第３係止突起６６０，６５０，６５５に係止されて進行が止められる際に、ラッチ部８２８が第３ホール６１２の外に突出され、ロッキングホール５２５にロックされる。
【００６７】
図２２を参照すると、ユーザーが指でベイル８３０の押圧部８４０を下側に押圧することで、前述したように、ラッチ部８２８が第３ホール６１２内に完全に陥没される。ユーザーは、ラッチ部８２８が完全に陥没された状態において、光送受信モジュールアセンブリを図２２の矢印ｚ方向に引き抜くことで、光送受信モジュールアセンブリ１００’がケージ５００から係脱される。
【００６８】
以上、本発明を具体的な実施形態に則して詳細に説明したが、形式や細部についての種々の変更が、特許請求の範囲の記載により規定されるような本発明の精神及び範囲から逸脱することなく行われることが可能であることは、当該技術分野における通常の知識を有する者には明らかである。従って、本発明の範囲は、前述の実施形態に限定されるものではなく、特許請求の範囲の記載及びこれと均等なものに基づいて定められるべきである。
【図面の簡単な説明】
【００６９】
【図１】本発明の好適な第１の実施の形態によるプラグ型光送受信モジュールアセンブリを示す図である。
【図２】図１に示す光送受信モジュールアセンブリ及びケージを示す斜視図である。
【図３】ベイルクリップが係脱された図１に示すコネクタ部をその上端部側から表した斜視図である。
【図４】ベイルクリップが係脱された図１に示すコネクタ部をその下端部を上側にして示す斜視図である。
【図５】図３に示すコネクタ部をその幅を両分する位置であるＡ-Ａ’線に沿って切断した状態を示す断面図である。
【図６】図１に示すベイルクリップを表した斜視図である。
【図７】ベイルクリップが設けられた図１に示すコネクタ部をその上端部側から表した斜視図である。
【図８】図７に示すコネクタ部をその下端部を上側にして表した斜視図である。
【図９】図７に示すコネクタ部をその幅を両分する位置であるＢ-Ｂ’線に沿って切断した状態を示す断面図である。
【図１０】図９に示すベイルクリップの動作方法を説明するための断面図である。
【図１１】図１に示す光送受信モジュールアセンブリがケージに係合した状態を示す図である。
【図１２】図１に示す光送受信モジュールアセンブリがケージから係脱した状態を示す図である。
【図１３】本発明の好適な第２の実施の形態によるベイルクリップが係脱したコネクタ部をその上端部側から表した斜視図である。
【図１４】図１３に示すコネクタ部をその下端部を上側にして示す斜視図である。
【図１５】図１３に示すコネクタ部をその幅を両分する位置であるＣ-Ｃ’線に沿う断面図である。
【図１６】本発明の好適な第２の実施の形態によるベイルクリップを示す斜視図である。
【図１７】図１３に示すコネクタ部に図１６に示すベイルクリップが係合した状態を示す斜視図である。
【図１８】図１７に示すコネクタ部をその下端部を上として示す斜視図である。
【図１９】図１７に示すコネクタ部をその幅を両分する位置であるＤ-Ｄ’線に沿って切断した状態を示す断面図である。
【図２０】図１９に示すベイルクリップの動作方法を説明するための断面図である。
【図２１】本発明の好適な第２の実施の形態による光送受信モジュールアセンブリがケージに係合した状態を示す図である。
【図２２】図１１に示す光送受信モジュールアセンブリがケージから係脱した状態を示す図である。
【符号の説明】
【００７０】
１００，１００’  プラグ型光送受信モジュールアセンブリ
１２０  基底部
４００，８００  ベイルクリップ
４１０，８１０  本体
４２０，８２０  ロックピン
４２８，８２８  ラッチ部
４３０，８３０  ベイル
１１０  光送受信モジュール
２００，６００  コネクタ部
２４０  第１収容部
２４５  第２収容部
６３０  収容部
【図１】
2006079100.tif 000003
【図２】
2006079100.tif 000004
【図３】
2006079100.tif 000005
【図４】
2006079100.tif 000006
【図５】
2006079100.tif 000007
【図６】
2006079100.tif 000008
【図７】
2006079100.tif 000009
【図８】
2006079100.tif 000010
【図９】
2006079100.tif 000011
【図１０】
2006079100.tif 000012
【図１１】
2006079100.tif 000013
【図１２】
2006079100.tif 000014
【図１３】
2006079100.tif 000015
【図１４】
2006079100.tif 000016
【図１５】
2006079100.tif 000017
【図１６】
2006079100.tif 000018
【図１７】
2006079100.tif 000019
【図１８】
2006079100.tif 000020
【図１９】
2006079100.tif 000021
【図２０】
2006079100.tif 000022
【図２１】
2006079100.tif 000023
【図２２】
2006079100.tif 000024